(57)【要約】 【課題】スーパーやコンビニでお弁当などを買ったときレジ袋に入れて持ち帰るが、道中でお弁当等の内容物が傾き中身が偏ってぐちゃぐちゃになったり汁がこぼれたりすることがあった。そこで本発明は、レジ袋などの袋に簡単に装着でき、袋の中身の傾きを防ぐ係止具を提供する。【解決手段】本発明は、袋の開口部を外部から係止する係止具であって、剛性を備えた平板にて形成された本体に透孔が形成され、当該透孔から放射状に延在する複数のスリットが形成され、前記スリットの基端部は幅広に形成されたことを特徴とする。【選択図】  図1
2017186062.tif 000002
【特許請求の範囲】
【請求項１】
袋の開口部を外部から係止する係止具であって、剛性を備えた平板にて形成された本体に透孔が形成され、前記透孔から放射状に延在する複数のスリットが形成され、前記スリットの基端部は幅広に形成されたことを特徴とする係止具。
【請求項２】
前記本体の外部から前記透孔に至る通路であって、係止すべき袋が通過できる通路が設けられたことを特徴とする請求項１記載の係止具。
【請求項３】
前記スリットとスリットの間に形成される突出部の先端の形状はＲ状であることを特徴とする請求項１又は２のいずれかに記載の係止具。
【請求項４】
前記平板の平板外周縁に切欠き部を設けたことを特徴とする請求項１から３のいずれかに記載の係止具。
【請求項５】
袋の開口部を外部から係止する係止具であって、弾力性に富む平板にて形成された本体に透孔が形成され、前記透孔から放射状に延在する複数のスリットが形成されたことを特徴とする係止具。
【請求項６】
前記スリットの基端部は幅広に形成されたことを特徴とする請求項５記載の係止具。
【発明の詳細な説明】
【技術分野】
【０００１】
本発明は、袋に入れたお弁当等の内容物の偏りを防ぐための係止具に関する。なお、ここで袋とは、主にスーパーやコンビニなどで使用するレジ袋である。
【背景技術】
【０００２】
従来より、スーパーやコンビニでお弁当などを買ったとき、レジ袋に入れて持ち帰る。
【０００３】
袋の開口部を閉鎖するものとしては、特許文献１に示すような係止具や、特許文献２に示す袋用封止具や、特許文献３に示す網袋の口締め具が開示されている。
【先行技術文献】
【特許文献】
【０００４】
【特許文献１】特開2015-157647  公報
【特許文献２】特開平9-77095号  公報
【特許文献３】実開平5-46746号  公報
【発明の概要】
【発明が解決しようとする課題】
【０００５】
スーパーやコンビニでお弁当などを買ったときレジ袋に入れて持ち帰るが、道中でお弁当等の内容物が傾き中身が偏ってぐちゃぐちゃになったり汁がこぼれたりして問題があった。
【０００６】
ところが、特許文献１の係止具は、シート状の枠体で構成され、切り込みによって形成された凸状の片部が該枠体の中央部に配置され、該枠体の中央部と、枠体の外側とを連通させた通路部が備えられ、該通路部から挿入させた袋の口に押圧されて片部が湾曲し、該片部によって袋の口が係止される構造である。単に袋の開口部を閉鎖するためであり、レジ袋などの摩擦抵抗が少ない袋では、袋が揺れたとき片部が湾曲していることで係止具が上方向に移動しやすく、内容物が袋の中で動き傾くおそれがある。また、切り込みは片部を湾曲するためのものである。
【０００７】
また、特許文献２の袋用封止具は、リング状の枠体と、可撓性を有し枠体の内側に向けて突設され、袋口を枠体に挿通したときにその袋口に押されて撓み、その袋口を封止する可撓片とを具備した構造である。文献１と同様で、可撓片が湾曲することで封止具が上方向に移動し内容物が袋の中で動き傾くおそれがある。
【０００８】
また、特許文献3の網袋の口締め具は、平板に、先端を中央に向けて集め、上方向に反らした数個の矢先を円形に配置して、中央穴を形成し、入口から中央の穴に通じる通路を設けた構造で口締め具の矢先の先端が絞った網の目の中に食い込み口締め具が移動しないようにしたものであるが、レジ袋などのような摩擦抵抗が少ない袋では口締め具が移動し内容物が袋の中で動き傾くおそれがある。また、矢先の先端で袋が破れる可能性がある。
【０００９】
本発明は、上記のような課題を解決し、レジ袋などの袋に簡単に装着でき、袋の中身の傾きを防ぐ係止具を提供しようとするものである。
【課題を解決するための手段】
【００１０】
上記課題を解決するために、本発明は、袋の開口部を外部から係止する係止具であって、剛性を備えた平板にて形成された本体に透孔が形成され、当該透孔から放射状に延在する複数のスリットが形成され、当該スリットの基端部は幅広に形成されたことを特徴とするものである。
【００１１】
また、前記本体の外部から前記透孔に至る通路であって、係止すべき袋が通過できる通路が設けられたことを特徴とするものである。
【００１２】
また、前記スリットとスリットの間に形成される突出部の先端の形状はＲ状であることを特徴とするものである。
【００１３】
また、前記平板の平板外周縁に切欠き部を設けたことを特徴とするものである。
【００１４】
また、袋の開口部を外部から係止する係止具であって、弾力性に富む平板にて形成された本体に透孔が形成され、当該透孔から放射状に延在する複数のスリットが形成されたことを特徴とするものである。
【００１５】
また、前記スリットの基端部は幅広に形成されたことを特徴とする。
【発明の効果】
【００１６】
本発明は、剛性を備えた平板の中央付近に透孔を設け透孔中央より外周に向かって複数の放射状スリットを設け、更に透孔と平板外周縁とを連通させた通路部を設けた係止具である。レジ袋の口を絞り通路部切欠き部より通路部を通して透孔に挿入し、片方の手でレジ袋の持ち手を持ち、他方の手で係止具を下方に押し下げる。係止具を下方に押し下げたときレジ袋内の空気が外部放出することで、スムーズに係止具をレジ袋に密着させることができ、また、内容物の入ったレジ袋の持ち手を内容物が入ったレジ袋の重心の垂直の位置にすることができる。このことにより、レジ袋の内容物が常に水平を保つ。
【００１７】
また、透孔から放射状に延在する複数のスリットの基端部が幅広に形成されスリットとスリットの間に形成された突出部の先端がＲ状に形成されていることと、平板が剛性を備えていることでスリットとスリットの間の突出部が変形し難いため係止具を下方に押し下げたときレジ袋の側面部分がスムーズにスリットに挟み込まれる。また、レジ袋の持ち手を持ちレジ袋を下げたとき、内容物の重みでレジ袋の口が開こうとすることで更にレジ袋の側面がスリットに食い込む。レジ袋の側面部分がスリットに挟み込まれることにより係止具が上方向に移動することを防ぐ。また、複数個所のスリットでレジ袋の側面を支えることで更に係止具が移動し難くなり内容物が袋内で安定し、袋が揺れても傾かない。
【００１８】
また、スリットとスリットの間に形成された突出部の先端をＲ状にすることで袋が破れる恐れがない。
【００１９】
また、係止具の素材を紙などの手でちぎれる材料にした場合はスリットと切欠き部の間を手でちぎり簡単にレジ袋より閉止具を外すことができる。この場合、係止具は使い捨てである。
【００２０】
また、弾力性に富む平板の場合は、透孔を押し広げてレジ袋の口を挿入できるため必ずしも通路を必要としない。また、平板を摩擦抵抗のある素材にすることで、平板裏とレジ袋が密着し平板が移動し難くなり内容物がより安定し袋が揺れても傾かない。
【図面の簡単な説明】
【００２１】
【図１】本発明の実施形態１を示す平面図である。
【図２】本発明の実施形態１のレジ袋を装着した斜視図である。
【図３】本発明の実施形態２を示す断面図である。
【図４】本発明の実施形態３を示す平面図である。
【図５】本発明の実施形態４を示す平面図である。
【発明を実施するための形態】
【００２２】
以下、本発明の実施形態について図面を参照して説明する。
【００２３】
図１は、本発明の実施形態１の平面図を示す。
円形の剛性を備えた平板２の中央に透孔３を設け、平板２の透孔３より平板外周縁８に向かって放射状に延在する複数のスリット４が形成され、スリット４の基端部５は幅広に形成されている。実施形態１では基端部５は巾がV字形に奥に行くほど狭くなっている。スリット４とスリット４の間に形成される突出部１６の先端はＲ状に（丸く）形成されている。R状にすることでレジ袋を装着したとき袋の破損を防ぐことができる。また、平板２の外周縁８から透孔３に至る通路６が開設され、通路６の基端部の外周縁８側に通路切欠き部１１を設けている。通路切欠き部１１を設けることでレジ袋９をスムーズに通路６に挿入することができる。また、平板外周縁８に切欠き部７を設け、スリット４と切欠き部７の間のスリット４の延長上にミシン目１７を入れている。レジ袋９から内容物を取り出すときは、スリット４と切欠き部７の間のミシン目１７を手でちぎり、簡単にレジ袋９より係止具１を外すことができる。この場合、係止具１は紙など手で簡単に引き裂ける素材とし使い捨てとする。ミシン目１７はなくてもよいが、ミシン目を設けることでよりちぎりやすくなる。また、通路部６の透孔側基端部は幅広にしないことで、レジ袋９の抜けを防ぐ。なお、袋をレジ袋としているがレジ袋以外の布袋や網袋などや薄手の素材の袋などでもよい。また、平板２は実施形態では円形としているが矩形や楕円形などでもよい。
また、剛性を備えた材料としては、段ボール、ボール紙、厚紙、合成樹脂などがある。合成樹脂としては、例えば株式会社パール加工の下敷き（品番０９０-３１２０材質PVC・品番CR-１９６０材質PP）などの材料がよい。
また、係止具１を再利用すのであれば切欠き部７とミシン目１７は必要としない。
【００２４】
図２は、本発明の実施形態１のレジ袋を装着した斜視図である。
レジ袋９の口を絞り、通路部切欠き部１１より通路部６を通して透孔３（図示せず）に挿入し、片方の手でレジ袋９の持ち手１０を持ち、他方の手で係止具１を下方に押し下げ装着した図である。係止具１を下方に押し下げたときに、レジ袋９内の空気が外部放出され係止具１はレジ袋９に密着している。また内容物の入ったレジ袋９の持ち手１０を内容物が入ったレジ袋９の重心の垂直の位置に設置することができる。また、透孔３から放射状に延在する複数のスリット４の基端部５（図示せず）が幅広に形成されスリット４とスリット４の間に形成される突出部１６の先端はＲ状に形成されていることと、平板２が剛性を備えていることで、レジ袋９の側面部分がスムーズにスリット４に食い込む。また、レジ袋の持ち手１０を持ちレジ袋９を下げたとき、内容物の重みでレジ袋９の側面が矢印１２の方向に開こうとすることで更にスリット４にレジ袋９の側面部分が食い込む。また、複数個所のスリット４でレジ袋９の側面を支えている。
【００２５】
図３は、本発明の実施形態２の断面図を示す。
平板２は中芯１３とライナー１４で形成されている段ボールとし、中芯１３の稜線１５が交差するように２枚の段ボールを貼り合わせている。このことで係止具１がどの方向に対しても強度が確保できる。実施形態２では２枚の段ボールを貼り合わせているが、複数の段ボールを貼り合わせてもよい。
【００２６】
図４は、本発明の実施形態３の平面図を示す。
矩形の剛性を備えた平板２の中央に透孔３を設け、平板２の透孔３より平板外周縁８に向かって放射状に延在する複数のスリット４が形成され、スリット４の基端部５は幅広に形成され、スリット４とスリット４の間に形成される突出部１６の先端はＲ状に形成されている。また、平板２の外周縁８から透孔３に至る通路６が開設され、通路６の基端部の外周縁８側に通路切欠き部１１を設けている。係止具１を再利用する場合は通路６とスリット４の間の突出部１６をR状にすることで係止具１をレジ袋９から外しやすい。また、平板の大きさは、例えば買い物のポイントカードなどの大きさであればカードといっしょに財布に入れることで、買い物をしたときに取り出しやすく便利である。また、再使用でき経済的である。
【００２７】
図５は、本発明の実施形態４の平面図を示す。
弾力性と摩擦抵抗に富む平板２の中央に透孔３を設け、平板２の透孔３より平板外周縁８に向かって放射状に延在する複数のスリット４が形成されている。実施形態４ではスリットの基端部は幅広にしていないが、幅広にしてもよい。またスリット４の外周縁８側基端部には円形の小孔１９を設けている。小孔１８を設けることにより透孔３を押し広げたときスリット４が外周縁８方向に破れるのを防ぐことができる。実施形態４では小孔を設けているが設けなくてもよい。また、弾力性と摩擦抵抗に富む材料としては、例えばエコー金属株式会社のシリコンフードカバー（材質シリコン樹脂）などの材料がよい。
【符号の説明】
【００２８】
１    係止具
２    平板
３    透孔
４    スリット
５    基端部
６    通路
７    切欠き部
８    外周縁
９    レジ袋
１０  袋の持ち手
１１  通路切欠き部
１２  矢印
１３  中芯
１４  ライナー
１５  稜線
１６  突出部
１７  ミシン目
１８  小孔
【図１】
2017186062.tif 000003
【図２】
2017186062.tif 000004
【図３】
2017186062.tif 000005
【図４】
2017186062.tif 000006
【図５】
2017186062.tif 000007
【手続補正書】
【提出日】平成28年5月16日(2016.5.16)
【手続補正１】
【補正対象書類名】明細書
【補正対象項目名】００１０
【補正方法】変更
【補正の内容】
【００１０】
上記課題を解決するために、本発明は、袋の開口部を外部から係止する係止具であって、平板にて形成された本体に透孔が形成され、前記透孔から放射状に延在する複数のスリットが形成されたことを特徴とするものである。
【手続補正２】
【補正対象書類名】特許請求の範囲
【補正対象項目名】全文
【補正方法】変更
【補正の内容】
【特許請求の範囲】
【請求項１】
袋の開口部を外部から係止する係止具であって、平板にて形成された本体に透孔が形成され、前記透孔から放射状に延在する複数のスリットが形成されたことを特徴とする係止具。
【請求項２】
前記平板は、剛性を備えた平板にて形成されたことを特徴とする請求項１記載の係止具。
【請求項３】
前記スリットの基端部は幅広に形成されたことを特徴とする請求項１又は２のいずれかに記載の係止具。
【請求項４】
前記本体の外部から前記透孔に至る通路であって、係止すべき袋が通過できる通路が設けられたことを特徴とする請求項１から３のいずれかに記載の係止具。
【請求項５】
前記スリットとスリットの間に形成される突出部の先端の形状はＲ状であることを特徴とする請求項１から４のいずれかに記載の係止具。
【請求項６】
前記平板は、紙などの材料で且つ平板外周縁に切欠き部を設けたことを特徴とする請求項１から５のいずれかに記載の係止具。
【請求項７】
前記平板は、弾力性に富む平板にて形成されたことを特徴とする請求項１記載の係止具。
【手続補正書】
【提出日】平成28年8月8日(2016.8.8)
【手続補正１】
【補正対象書類名】特許請求の範囲
【補正対象項目名】全文
【補正方法】変更
【補正の内容】
【特許請求の範囲】
【請求項１】
袋の開口部を外部から係止する係止具であって、平板にて形成された本体に透孔が形成され、前記透孔から放射状に延在する複数のスリットが形成され、前記スリットは、前記スリットの先端部と基端部とのほぼ中央から基端部に向かって幅広に形成されたことを特徴とする係止具。
【請求項２】
前記スリットとスリットの間に形成される突出部の先端の形状はＲ状であることを特徴とする請求項１記載の係止具。
【請求項３】
前記平板は、剛性を備えた平板にて形成されたことを特徴とする請求項１から２のいずれかに記載の係止具。
【請求項４】
前記本体の外部から前記透孔に至る通路であって、係止すべき袋が通過できる通路が設けられたことを特徴とする請求項１から３のいずれかに記載の係止具。
【請求項５】
前記平板は、紙などの材料で且つ平板外周縁に切欠き部を設けたことを特徴とする請求項１から４のいずれかに記載の係止具。
【請求項６】
前記平板は、弾力性に富む平板にて形成されたことを特徴とする請求項１から２のいずれかに記載の係止具。
【手続補正２】
【補正対象書類名】明細書
【補正対象項目名】００１０
【補正方法】変更
【補正の内容】
【００１０】
上記課題を解決するために、本発明は、袋の開口部を外部から係止する係止具であって、平板にて形成された本体に透孔が形成され、前記透孔から放射状に延在する複数のスリットが形成され、前記スリットは、前記スリットの先端部と基端部とのほぼ中央から基端部に向かって幅広に形成されたことを特徴とするものである。
【手続補正３】
【補正対象書類名】明細書
【補正対象項目名】００１１
【補正方法】変更
【補正の内容】
【００１１】
前記スリットとスリットの間に形成される突出部の先端の形状はＲ状であることを特徴とするものである。
【手続補正４】
【補正対象書類名】明細書
【補正対象項目名】００１２
【補正方法】変更
【補正の内容】
【００１２】
前記平板は、剛性を備えた平板にて形成されたことを特徴とするものである。
【手続補正５】
【補正対象書類名】明細書
【補正対象項目名】００１３
【補正方法】変更
【補正の内容】
【００１３】
前記本体の外部から前記透孔に至る通路であって、係止すべき袋が通過できる通路が設けられたことを特徴とするものである。
【手続補正６】
【補正対象書類名】明細書
【補正対象項目名】００１４
【補正方法】変更
【補正の内容】
【００１４】
前記平板は、紙などの材料で且つ平板外周縁に切欠き部を設けたことを特徴とするものである。
【手続補正７】
【補正対象書類名】明細書
【補正対象項目名】００１５
【補正方法】変更
【補正の内容】
【００１５】
前記平板は、弾力性に富む平板にて形成されたことを特徴とするものである。
【手続補正書】
【提出日】平成29年3月6日(2017.3.6)
【手続補正１】
【補正対象書類名】特許請求の範囲
【補正対象項目名】全文
【補正方法】変更
【補正の内容】
【特許請求の範囲】
【請求項１】
袋の開口部を外部から係止する係止具であって、平板にて形成された本体に透孔が形成され、前記透孔から放射状に延在する複数のスリットが形成され、前記スリットは、前記スリットの先端部と基端部とのほぼ中央から基端部に向かって幅広に形成され、前記平板は、紙などの材料で且つ平板外周縁に切欠き部を設けたことを特徴とする係止具。
【請求項２】
前記本体の外部から前記透孔に至る通路であって、係止すべき袋が通過できる通路が設けられたことを特徴とする請求項１記載の係止具。
【手続補正２】
【補正対象書類名】明細書
【補正対象項目名】００１０
【補正方法】変更
【補正の内容】
【００１０】
上記課題を解決するために、本発明は、袋の開口部を外部から係止する係止具であって、平板にて形成された本体に透孔が形成され、前記透孔から放射状に延在する複数のスリットが形成され、前記スリットは、前記スリットの先端部と基端部とのほぼ中央から基端部に向かって幅広に形成され、前記平板は、紙などの材料で且つ平板外周縁に切欠き部を設けたことを特徴とするものである。
【手続補正３】
【補正対象書類名】明細書
【補正対象項目名】００１２
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００２３
【補正方法】変更
【補正の内容】
【００２３】
図１は、本発明の実施形態１の平面図を示す。
円形の剛性を備えた平板２の中央に透孔３を設け、平板２の透孔３より平板外周縁８に向かって放射状に延在する複数のスリット４が形成され、スリット４の基端部５は幅広に形成されている。実施形態１では基端部５は巾がV字形に奥に行くほど狭くなっている。スリット４とスリット４の間に形成される突出部１６の先端はＲ状に（丸く）形成されている。R状にすることでレジ袋を装着したとき袋の破損を防ぐことができる。また、平板２の外周縁８から透孔３に至る通路６が開設され、通路６の基端部の外周縁８側に通路切欠き部１１を設けている。通路切欠き部１１を設けることでレジ袋９をスムーズに通路６に挿入することができる。また、平板外周縁８に切欠き部７を設け、スリット４と切欠き部７の間のスリット４の延長上にミシン目１７を入れている。レジ袋９から内容物を取り出すときは、スリット４と切欠き部７の間のミシン目１７を手でちぎり、簡単にレジ袋９より係止具１を外すことができる。この場合、係止具１は紙など手で簡単に引き裂ける素材とし使い捨てとする。ミシン目１７はなくてもよいが、ミシン目を設けることでよりちぎりやすくなる。また、通路部６の透孔側基端部は幅広にしないことで、レジ袋９の抜けを防ぐ。なお、袋をレジ袋としているがレジ袋以外の布袋や網袋などや薄手の素材の袋などでもよい。また、平板２は実施形態では円形としているが矩形や楕円形などでもよい。
また、剛性を備えた材料としては、段ボール、ボール紙、厚紙、などの材料がある。
また、係止具１を再利用するのであれば切欠き部７とミシン目１７は必要としない。
【手続補正７】
【補正対象書類名】明細書
【補正対象項目名】００２７
【補正方法】変更
【補正の内容】
【００２７】
図５は、本発明の実施形態４の平面図を示す。
弾力性と摩擦抵抗に富む平板２の中央に透孔３を設け、平板２の透孔３より平板外周縁８に向かって放射状に延在する複数のスリット４が形成されている。実施形態４ではスリットの基端部は幅広にしていないが、幅広にしてもよい。またスリット４の外周縁８側基端部には円形の小孔１９を設けている。小孔１８を設けることにより透孔３を押し広げたときスリット４が外周縁８方向に破れるのを防ぐことができる。実施形態４では小孔を設けているが設けなくてもよい。